(57)【要約】      （修正有）【課題】ワンタッチでケーブルを固定することができ、複数種の太さや形状の光ケーブルに対応できる識別タグを簡易な構成で提供する。【解決手段】表面をケーブルの識別表示を施す表示面としたタグ本体１を可撓性を有するプラスチック材料により短冊型の薄板状に構成するとともに、タグ本体の裏面にはケーブルを溝４Ａ、４Ｂ内に収容するケーブル保持部２を設け、上記ケーブル保持部にはタグ本体の短手方向に向けて蓋片６を突設し、上記蓋片はタグ本体との連結部を薄手に成形することによりケーブル保持部に向けて擺動自在とするためのヒンジ部１１とするとともに、ケーブル保持部を被蓋した状態で係合固定する手段を設け、上記蓋片にはその一部を舌片状に切り抜いて一体に形成される片持ちバネ７をケーブルに当接する方向に附勢されるようにケーブル保持部側に突出して設ける。【選択図】図１
0003152799.tif 000002
【実用新案登録請求の範囲】
【請求項１】
表面をケーブルの識別表示を施す表示面としたタグ本体を、可撓性を有するプラスチック材料により短冊型の薄板状に構成するとともに、タグ本体の裏面にはケーブルを溝内に収容するケーブル保持部を設け、上記ケーブル保持部にはタグ本体の短手方向に向けて蓋片を突設し、上記蓋片はタグ本体との連結部を薄手に成形することによりケーブル保持部に向けて擺動自在とするためのヒンジ部とするとともに、ケーブル保持部を被蓋した状態で係合固定する手段を設け、上記蓋片にはその一部を舌片状に切り抜いて一体に形成される片持ちバネをケーブルに当接する方向に附勢されるようにケーブル保持部側に突出して設けたことを特徴とするケーブル識別タグ。
【請求項２】
タグ本体の長手方向に対し全長方向が一致するようにケーブルがケーブル保持部に保持される請求項１記載のケーブル識別タグ。
【請求項３】
当接されるケーブルの全長方向と直交する突条を片持ちバネの表面に突設した請求項１または２記載のケーブル識別タグ。
【請求項４】
保持されるケーブルの全長方向と直交する突条をケーブル保持部の表面に突設した請求項１から３のいずれかに記載のケーブル識別タグ。
【請求項５】
タグ本体の裏面から起立する立ち上がり壁の上部を切り欠くことによりケーブルを保持する溝とした請求項１から４のいずれかに記載のケーブル識別タグ。
【請求項６】
立ち上がり壁と溝の開始箇所がなす角部を切り落としてなだらかにした請求項５記載のケーブル識別タグ。
【考案の詳細な説明】
【技術分野】
【０００１】
この考案は、光ケーブルを配線するに際し、ケーブル同士を識別するためのケーブル識別タグに関する。
【背景技術】
【０００２】
光ケーブルの配線において、複数のケーブル同士を互いに識別するために、ケーブルに識別タグを固定し、このタグに識別情報を記入することが公知である。この識別タグは識別情報を表示するタグ本体と、タグをケーブルに固定するための固定手段からなる。
【０００３】
特許文献１および２はこのような識別タグの公知例を示すものであり、これらには次のような構造の識別タグが開示されている。
(1) 識別タグの裏面にスパイラル管を設け、スパイラル管を回転させながらケーブルを管内に挿通してタグをケーブルに固定する手段を備えたケーブル識別タグ（特許文献１／図１）。
(2) 識別タグの前後にケーブル挿通孔を設け、これらの２か所の挿通孔にタグを撓ませながらケーブルを挿通して、タグの復元力によりケーブルに固定する手段を備えたケーブル識別タグ（特許文献１／図２）。
(3) 識別タグの前後の互い違い方向にフックを突設し、タグを撓ませながらこれらの２か所のフックにケーブルを挿通して、タグの復元力によりタグをケーブルに固定する手段を備えたケーブル識別タグ（特許文献１／図３）。
(4) 識別タグをヒンジ部を介して表側部と裏側部に２つ折り自在とするとともに、２つ折り状態で係合固定する手段を設け、表側部と裏側部間にケーブルを挟持・固定する手段を備えたケーブル識別タグ（特許文献１／図４、５および特許文献２／図１〜３）。
(5) 識別タグを表側部と裏側部に２分割するとともに、重ね合わせた状態で係合固定する手段を設け、表側部と裏側部間にケーブルを挟持・固定する手段を備えたケーブル識別タグ（特許文献２／図４）。
【先行技術文献】
【特許文献】
【０００４】
【特許文献１】特開２００４−２９７８４８号公報
【特許文献２】特開２０００−８９０４１号公報
【考案の概要】
【考案が解決しようとする課題】
【０００５】
前記の公知例(1) はスパイラル管を回転させながらケーブルを管内に挿通してタグをケーブルに固定しなくてはならないので作業性に難があり、またタグ本体の他に別途スパイラル管を用意しなくてはならず、識別タグの部品点数が増えてコスト上の問題を生じた。一方、ケーブルの太さや形状によってはスパイラル管が対応しないおそれがあり、ケーブルの太さや形状に合わせて複数種の識別タグを用意しなくてはならない不便さもあった。
【０００６】
公知例(2) は部品点数は少なくて済むが、タグを撓ませながら２か所の挿通孔にケーブルを挿通しなくてはならないので作業性に難があった。
【０００７】
公知例(3) も前記同様に作業性に難があり、またタグ本体の他に別途２つのフックを用意しなくてはならず、識別タグの部品点数が増えてコスト上の問題を生じた。
【０００８】
公知例(4) はワンタッチでケーブルを固定することができるが、ケーブルに対してタグが直交して固定されるのでケーブルが集中している箇所においてはタグによりかさばってしまう問題を生じた。また、表側部と裏側部間にケーブルを挟持・固定するためにこれらに別途軟質部材を積層しておかなければならず、識別タグの部品点数が増えてコスト上の問題を生じた。一方、ケーブルを単に挟持するだけなので、ケーブルの太さや形状によっては挟持が緩くなりすぎたり、逆にきつくなりすぎたりして対応しないおそれがあり、ケーブルの太さや形状に合わせて複数種の識別タグを用意しなくてはならない不便さもあった。
【０００９】
公知例(4) もケーブルに対してタグが直交して固定されるのでケーブルが集中している箇所においてはタグによりかさばってしまう問題を生じた。また、表側部と裏側部間にケーブルを挟持・固定するためにこれらに別途軟質部材を積層しておかなければならず、識別タグの部品点数が増えてコスト上の問題を生じ、さらに識別タグが２つの別部材に分かれてしまうので作業性に難があった。一方、ケーブルを単に挟持するだけなので、ケーブルの太さや形状によっては挟持が緩くなりすぎたり、逆にきつくなりすぎたりして対応しないおそれがあり、ケーブルの太さや形状に合わせて複数種の識別タグを用意しなくてはならない不便さもあった。
【課題を解決するための手段】
【００１０】
この考案は前記の従来技術の問題点に鑑みて創作されたものであり、ワンタッチでケーブルを固定することができ、しかも複数種の太さや形状の光ケーブルに対応できるケーブル識別タグを簡易な構成で提供することを目的とする。
【００１１】
即ち、この考案の光ケーブル固定構造は、表面をケーブルの識別表示を施す表示面としたタグ本体を、可撓性を有するプラスチック材料により短冊型の薄板状に構成するとともに、タグ本体の裏面にはケーブルを溝内に収容するケーブル保持部を設け、上記ケーブル保持部にはタグ本体の短手方向に向けて蓋片を突設し、上記蓋片はタグ本体との連結部を薄手に成形することによりケーブル保持部に向けて擺動自在とするためのヒンジ部とするとともに、ケーブル保持部を被蓋した状態で係合固定する手段を設け、上記蓋片にはその一部を舌片状に切り抜いて一体に形成される片持ちバネをケーブルに当接する方向に附勢されるようにケーブル保持部側に突出して設けたことを特徴とする。
【００１２】
また、ここでは第２考案として、前記の考案において、タグ本体の長手方向に対し全長方向が一致するようにケーブルがケーブル保持部に保持される考案も開示する。
【００１３】
また、ここでは第３考案として、前記の考案において、当接されるケーブルの全長方向と直交する突条を片持ちバネの表面に突設した考案も開示する。
【００１４】
また、ここでは第４考案として、前記の考案において、保持されるケーブルの全長方向と直交する突条をケーブル保持部の表面に突設した考案も開示する。
【００１５】
また、ここでは第５考案として、前記の考案において、タグ本体の裏面から起立する立ち上がり壁の上部を切り欠くことによりケーブルを保持する溝とした考案も開示する。
【考案の効果】
【００１６】
よって、この考案のケーブル識別タグによれば、タグ本体裏面のケーブル保持部の溝にケーブルを嵌入して仮固定し、蓋片を擺動して被蓋固定すれば、ケーブル保持部側に突設された片持ちバネによりケーブルが押圧固定され、ワンタッチでケーブルの固定を行うことが可能となる（図５〜図８参照）。そして、この場合、ケーブル保持部の溝への嵌入をもってケーブルの最終的な固定手段とはせず、最終的な固定は片持ちバネの当接による押圧によっているので、ケーブル保持部の溝を大きめに設定することが可能なり、ケーブル保持部の溝によってケーブルの太さや形状が制限される割合が小さくなり、他種類のケーブルに対応することが可能となる。
【００１７】
この場合、第５考案のようにタグ本体の裏面から起立する立ち上がり壁の上部を切り欠くことによりケーブルを保持する溝とする場合は、溝の内側が光ケーブルの被覆樹脂に食い込んで溝より大きめのケーブルであっても保持可能となり、対応可能なケーブルの種類はより多くなる。
【００１８】
また、第３考案や第４考案のように片持ちバネの表面やケーブル保持部の表面に突条を突設した場合は、この突条が光ケーブルの被覆樹脂に食い込むことにより光ケーブルの滑り止め作用を生じ、片持ちバネによる押圧力を少なくしても光ケーブルが確実に固定されるので、過度の押圧により光ケーブルに悪影響をおよぼすことが防止される。
【００１９】
一方、この考案のケーブル識別タグは蓋片や片持ちバネも含め、一部品として一体に成形可能なので製造コストを低く押さえることが可能となる。
【００２０】
また、第２考案によれば、タグ本体の長手方向に対し全長方向が一致するようにケーブルをケーブル保持部に保持するので、タグはケーブルと同一線上に位置することとなり、ケーブルが集中している箇所でもかさばりを最小限に抑えることが可能となる。
【図面の簡単な説明】
【００２１】
【図１】この考案のケーブル識別タグの展開状態の裏面方向から観察した斜視図。
【図２】同上、表面方向から観察した斜視図。
【図３】この考案のケーブル識別タグの被蓋状態の表面方向から観察した斜視図。
【図４】同上、裏面方向から観察した斜視図。
【図５】この考案のケーブル識別タグに光ケーブルを固定する過程を示す斜視図。
【図６】この考案のケーブル識別タグに光ケーブルを固定する過程を示す斜視図。
【図７】この考案のケーブル識別タグに光ケーブルを固定した状態を示す斜視図。
【図８】この考案のケーブル識別タグのケーブル保持部および蓋片箇所の一部切り欠き断面図。
【図９】この考案のケーブル識別タグに角形の光ケーブルを固定した状態を示すケーブル保持部および蓋片箇所の断面図。
【図１０】この考案のケーブル識別タグに丸形の光ケーブルを固定した状態を示すケーブル保持部および蓋片箇所の断面図。
【考案を実施するための形態】
【００２２】
以下、この考案のケーブル識別タグの具体的実施例を添付図面に基づいて説明する。こでは説明の便宜上、第１考案〜第５考案を実施したケーブル識別タグを例による。図１および図２はケーブル識別タグを展開した状態の斜視図である。このケーブル識別タグは表面をケーブルの識別表示を施す表示面としたタグ本体１と、光ケーブルＣ１を溝内に収容するケーブル保持部２と、上記ケーブル保持部に被蓋することにより保持されたケーブルを押圧固定する蓋片６から構成される。
【００２３】
タグ本体１は可撓性を有するプラスチック材料により短冊型の薄板状に構成されるものであり、ここでは短冊型の一例として矩形のものを図示しているが、形状はこれに限られず角が丸いものや楕円形のものであってもよいことは勿論である。上記タグ本体１の表面はケーブルの識別表示を施す表示面として機能するが、具体的には書き込みのための紙片や書き込み済の紙片を貼着したり、書き込みを容易にするために梨子地状にしたりすることが想定される。また、色彩が異なるプラスチック材料により複数色の識別タグを用意し、色彩をもって識別表示としてもよい。
【００２４】
タグ本体１の裏面に設けられるケーブル保持部２は光ケーブルＣ１を収容するための溝からなるが、この実施例においてはタグ本体の裏面から起立する立ち上がり壁の上部を切り欠くことによりケーブルを保持する溝としている。上記の立ち上がり壁はタグ本体１の長手方向端部に起立する立ち上がり壁３Ａとそこから後退した箇所に起立する立ち上がり壁３Ｂの２箇所に配され、それぞれに溝４Ａ、４Ｂが切り欠かれる。これらの溝４Ａ、４Ｂは使用を予定する光ケーブルのうち、もっとも太いものを嵌入可能な大きさに設定されるが、立ち上がり壁と溝の開始箇所がなす角部を切り落としてなだらかにすれば、溝より大きめのケーブルであっても嵌入が容易となる。なお、この場合は溝の内側が光ケーブルの被覆樹脂に食い込んでその嵌入を許すこととなる。
【００２５】
前記ケーブル保持部２に被蓋自在に配される蓋片６はタグ本体１と一体に成形されるものであり、タグ本体の短手方向に向けて突設され、タグ本体との連結部を薄手に成形することによりケーブル保持部に向けて擺動自在とするためのヒンジ部１１とする。この蓋片６の一端には係合レバー９が立設され、ケーブル保持部２端に突設された係合突起１２に上記係合レバー先端裏側に突設された係合突起１０が係合することによりケーブル保持部を被蓋した状態で係合固定される。
【００２６】
図中符号７はケーブル保持部２に収容された光ケーブルＣ１に当接してこれを押圧・固定するために蓋片６に設けられる片持ちバネである。この片持ちバネ７は蓋片６の一部を舌片状に切り抜いてそれと一体に形成されるものであり、ケーブルに当接する方向に附勢されるようにケーブル保持部２側に湾曲して突設される。なお、この実施例においては当接されるケーブルの全長方向と直交する断面三角形の突条８を片持ちバネの表面に突設することによりケーブルの滑り止め作用を生じさせている。また、この実施例においてはケーブル保持部２の表面にも同様の突条５が突設されている。なお、図９は角形の光ケーブルＣ１を押圧固定した状態を示す図、同じく図１０は丸形の光ケーブルＣ２を押圧固定した状態を示す図である。
【符号の説明】
【００２７】
Ｃ１              光ケーブル
Ｃ２              光ケーブル
１                タグ本体
２                ケーブル保持部
４Ａ              溝
４Ｂ              溝
６                蓋片
７                片持ちバネ
１１              ヒンジ部
【図１】
0003152799.tif 000003
【図２】
0003152799.tif 000004
【図３】
0003152799.tif 000005
【図４】
0003152799.tif 000006
【図５】
0003152799.tif 000007
【図６】
0003152799.tif 000008
【図７】
0003152799.tif 000009
【図８】
0003152799.tif 000010
【図９】
0003152799.tif 000011
【図１０】
0003152799.tif 000012